(57)【要約】【課題】  乱丁検査装置による検査画像の保存を十分にして、乱丁の検査をより確実のものにし、乱丁検査の信頼性を向上させる。【解決手段】  多数の駒の各々に乱丁検査装置を設け、それらの乱丁検査装置によって各駒に積まれた多数の折丁の所定の紙面を一折ごとにＣＣＤカメラによって光学的に検査して、その検査した折丁の紙面と基準の折丁の紙面とを自動的に比較して、検査した折丁の良否を判定するＣＣＤカメラ駒別対応型の乱丁検査システムにおいて、全ての駒の乱丁検査装置の全ての折丁の検査画像が、全ての駒の乱丁検査装置に共通の画像記録装置にまとめて記憶され、かつ、全ての検査画像の各々が、その検査画像を検査した乱丁検査装置の検査カウント値を挿入した形で、全ての駒の乱丁検査装置に共通の表示器に表示される。【選択図】  図１
2006103188.tif 000002
【特許請求の範囲】
【請求項１】
多数の駒の各々に乱丁検査装置を設け、それらの乱丁検査装置によって各駒に積まれた多数の折丁の所定の紙面を一折ごとにＣＣＤカメラによって光学的に検査して、その検査した折丁の紙面と基準の折丁の紙面とを自動的に比較して、検査した折丁の良否を判定するＣＣＤカメラ駒別対応型の乱丁検査システムにおいて、全ての駒の乱丁検査装置の全ての折丁の検査画像が、検査カウント値を挿入した形で、１つ又は複数の画像記録装置にまとめて記録され、かつ、全ての検査画像の各々が、一つ又は複数の表示器に表示される構成にしたことを特徴とする乱丁検査システム。
【請求項２】
検査カウント値は、スタータのスタート信号を分配器で受け、カウントすることにより生成されるカウント値であることを特徴とする請求項１に記載の乱丁検査システム。
【請求項３】
製本機が１回転する毎に、スタータがスタート信号を発生し、分配器は内部カウンタを持ち、スタート信号が入力されるたびに内部カウンタを１つ加算し、分配器は、検査画像に内部カウンタのカウント値をスーパーインポーズ（画面合成）し、画像記憶装置へ出力することを特徴とする請求項１又は２に記載の乱丁検査システム。
【請求項４】
画像記憶装置は、製本現場に設けられており、ＬＡＮまたは通信回線を介してインターネットの形で、製本現場から離れた場所に配置された制御用のコンピュータに接続されており、このコンピュータを使用して、製本現場の画像記録装置を遠隔操作することを特徴とする請求項１〜３のいずれか１項に記載の乱丁検査システム。
【請求項５】
各乱丁検査装置の検査により形成された検査画像は、分配器の分配部で分配されて、その分配器の合成部に送られ、そこでスタータからのスタート信号に基づく検査カウント値を合成し、検査画像に検査カウント値を挿入することを特徴とする請求項１〜４のいずれか１項に記載の乱丁検査システム。
【発明の詳細な説明】
【技術分野】
【０００１】
本発明は、製本機（丁合機）の各駒上の折丁の紙面を一折ごとに光学的に検査して、その検査した折丁と基準となる良品折丁とを自動的に比較して、検査した折丁の良否の判定をするＣＣＤカメラ駒別対応型乱丁検査装置に関する。
【背景技術】
【０００２】
製本の過程で生じる乱丁の見落しを防止する装置は、いろいろなものが公知である。
【０００３】
製本で用いる丁合機は、複数の折丁積台を備えている。各折丁積台には、乱丁検査装置が設けられている。各折丁積台に積まれた多数の折丁のうち、最下段の折丁の所定の紙面を乱丁検査装置で検査する。
【０００４】
また、各乱丁検査装置に検出器を設け、この検出器がスタータのスイッチ（たとえばホトセンサ）を操作することでスタート信号を出せるようになっている。この検出器及びスタータのスイッチは各折丁積台ごとに対応して設けられている。
【０００５】
たとえば、Ｎｏ．１の折丁積台において、それ専用の検出器（共通のスタータで運用する場合もある）がスタータのスイッチを操作すると、Ｎｏ．１の折丁積台のためのスタート信号が出る。このスタート信号が出た後に、Ｎｏ．１の折丁積台における最下段の紙面の検査値と基準品（良品）の基準値とを比較して、検査した折丁の合否を自動的に判別する。
【０００６】
さらに、Ｎｏ．２の折丁積台においても、検出器がスタータのスイッチを操作すると、Ｎｏ．２の折丁積台のためのスタート信号が出る。この後に、Ｎｏ．２の折丁積台における最下段の紙面の検査値と良品の基準値とを比較して、検査した折丁の合否を判別する。
【０００７】
このようにして、Ｎｏ．１〜Ｎｏ．ｎまでの各折丁積台上の折丁の合否を判別する。
【０００８】
最近のＣＣＤカメラ駒別対応型の乱丁検査装置においては、各駒ごとに配置されたＣＣＤカメラによって、各駒の各折丁の紙面を検査し、その検査した紙面の検査画像と基準の良品折丁の紙面の検査画像とを比較して、折丁の合否を判別している。たとえば、特許文献１を参照。
【特許文献１】特開平１１−５３５５２号公報
【発明の開示】
【発明が解決しようとする課題】
【０００９】
各乱丁検査装置に表示器が設けられている場合、各表示器にリアルタイムに検査画像を表示し得るが、多数の折丁の検査画像の保存は不十分で、検査画像の表示は、ほとんど垂れ流しに近い状況であった。そのため、乱丁検査の結果に対して再現性に劣る欠点があった。
【００１０】
本発明の目的は、乱丁検査装置による検査画像の保存を十分にして、乱丁の検査をより確実なものとし、乱丁検査の信頼性を向上させることである。
【課題を解決するための手段】
【００１１】
本発明の解決手段を例示すると、次のとおりである。
【００１２】
（１）  多数の駒の各々に乱丁検査装置を設け、それらの乱丁検査装置によって各駒に積まれた多数の折丁の所定の紙面を一折ごとにＣＣＤカメラによって光学的に検査して、その検査した折丁の紙面と基準の折丁の紙面とを自動的に比較して、検査した折丁の良否を判定するＣＣＤカメラ駒別対応型の乱丁検査システムにおいて、全ての駒の乱丁検査装置の全ての折丁の検査画像が、検査カウント値を挿入した形で、１つ又は複数の画像記録装置にまとめて記録され、かつ、全ての検査画像の各々が、一つ又は複数の表示器に表示される構成にしたことを特徴とする乱丁検査システム。
【００１３】
（２）  検査カウント値は、スタータのスタート信号を分配器で受け、カウントすることにより生成されるカウント値であることを特徴とする前述の乱丁検査システム。
【００１４】
（３）  製本機が１回転する毎に、スタータがスタート信号を発生し、分配器は内部カウンタを持ち、スタート信号が入力されるたびに内部カウンタを１つ加算し、分配器は、検査画像に内部カウンタのカウント値をスーパーインポーズ（画面合成）し、画像記憶装置へ出力することを特徴とする前述の乱丁検査システム。
【００１５】
（４）  画像記憶装置は、製本現場に設けられており、ＬＡＮまたは通信回線を介してインターネットの形で、製本現場から離れた場所に配置された制御用のコンピュータに接続されており、このコンピュータを使用して、製本現場の画像記録装置を遠隔操作することを特徴とする前述の乱丁検査システム。
【００１６】
（５）  各乱丁検査装置の検査により形成された検査画像は、分配器の分配部で分配されて、その分配器の合成部に送られ、そこでスタータからのスタート信号に基づく検査カウント値を合成し、検査画像に検査カウント値を挿入することを特徴とする前述の乱丁検査システム。
【発明の効果】
【００１７】
一つ又は複数の画像記録装置（たとえばデジタル・ビデオ・レコーダ）に、全ての乱丁検査装置による検査画像を十分に記録することが出来るとともに、検査画像への検査カウント値の挿入によって乱丁の存在を正確に特定できる。さらに、各検査画像に検査カウント値が挿入されているので、製本機との同期が、リアルタイムおよび再生のいずれの形でも、表示器の画面で確認できる。その結果、乱丁検査の信頼性が向上する。たとえば、検査の一駒毎の記録があれば、後日のトラブル（落丁等）に対して、検査結果の再現性があり、信頼性が向上する。
【発明を実施するための最良の形態】
【００１８】
記録画像に検査カウント値を挿入することが本発明の重要な特長の１つである。好ましくは、画像記録装置たとえばデジタル・ビデオ・レコーダを使用して、全ての駒のＣＣＤカメラ型乱丁検査装置による全ての検査画像をまとめて記録して、それらの全ての検査画像に検査カウント値を挿入する。
【００１９】
検査カウント値は、製本機（丁合機）に設置したスタータのスタート信号を分配器（好ましくはビデオ分配器）で受け、カウントすることにより生成されるカウント値である。
【００２０】
画像記録装置の表示装置には記録画像が表示される。
【００２１】
好ましくは、デジタル・ビデオ・レコーダの機種に依存せず、カメラ型乱丁検査装置による検査画像の全てを記録することが出来るようにする。
【００２２】
また、記録した検査画像を再生する際には、検査カウント値が検査画像に挿入されているので、検査カウント値を参照することで、前後折丁の判別をすることができる。
【００２３】
検査画像の記録方式は、常時記録、一定期間記録、指定日記録等のいずれの方式を採用してもよい。
【００２４】
ＣＣＤカメラ型乱丁検査装置は、ＣＣＤカメラ映像に検査状況と検査結果をスーパーインポーズ（画面合成）して表示器に表示し、かつ、検査状況と検査結果がリアルタイムに把握できるようにすることが好ましい。
【００２５】
好ましい実施形態の１つにおいては、検査画像をビデオ分配器で受け、そのビデオ分配器には、製本機（丁合機）に設置した各スタータから出力されるスタート信号を入力する。そして、製本機（丁合機）が１回転する毎に、スタート信号を発生させる。
【００２６】
ビデオ分配器は内部カウンタを持ち、スタート信号が入力される毎に内部カウンタを１つ加算する。ビデオ分配器は、各乱丁検査装置の処理部から受けた検査画像に内部カウンタの検査カウント値をスーパーインポーズ（画面合成）し、検査カウント値の挿入された検査画像を画像記憶装置（デジタル・ビデオ・レコーダ）へ出力する。
【実施例】
【００２７】
以下、図面を参照して、本発明の好ましい実施例を説明する。遠隔操作タイプの乱丁検査システムの例を説明する。本発明は、このような遠隔操作タイプのものに限定されない。
【００２８】
図１は、本発明の１つの実施例による乱丁検査システムの概念図である。
【００２９】
製本機（丁合機）は、通例、製本現場に設置されていて、多数の駒を有し、それらの各々に乱丁検査装置（１〜ｎ）が設けられている。各駒の乱丁検査装置（１〜ｎ）には、ＣＣＤ方式のカメラ１０が設けられており、各カメラ１０から発光した光を検査すべき各折丁の紙面に照射し、その紙面からの反射光を受光部で受けて電気量に変換する構成になっている。
【００３０】
各乱丁検査装置（１〜ｎ）は、処理部１１、ビデオ分配器１２、各乱丁検査装置（１〜ｎ）専用の表示器１４、スタータ１５を備えている。
【００３１】
乱丁検査のとき、各折丁の紙面は停止（フリーズ）の状態にするのが好ましい。
【００３２】
カメラ１０のＣＣＤセンサーによって、例えば基準となる良品折丁の所定紙面の印刷内容を写像として読み込み、印刷の内容や色合をデジタル信号として記憶しておき、その後、各検査対象である折丁の所定紙面から反射した写像をＣＣＤセンサーで読み取って、処理部１１でそのアナログ信号をデジタル信号に変換して、基準の紙面のデジタル信号と検査した紙面のデジタル信号とを比較して、検査した折丁の紙面の良否を判定する。
【００３３】
各乱丁検査装置（１〜ｎ）専用の表示器１４には、検査カウント値が挿入される前の検査画面Ａ〜Ｎが別々に表示される。
【００３４】
すべての乱丁検査装置（１〜ｎ）が、１つの共通の画像記憶装置１６（たとえばデジタル・ビデオ・レコーダ）に接続されており、その共通の画像記憶装置１６には、全ての乱丁検査装置（１〜ｎ）に共通する表示器１７が設けられている。この表示器１７には、検査カウント値を挿入した形で、全ての検査画像Ａ〜Ｎが、図２に例示するように、まとめてリアルタイムおよび再生のいずれの方式でも表示できるようになっている。
【００３５】
各乱丁検査装置（１〜ｎ）による検査画像は、ビデオ分配器１２の分配部１２ａで分配される。
【００３６】
分配された一方の検査画像が、各乱丁検査装置（１〜ｎ）専用の表示器１４にリアルタイムで表示される。その表示器１４に表示される画面の一例が図３の（Ａ）に示されている。この画面には、検査カウント値が挿入されていない。
【００３７】
ビデオ分配器１２の分配部１２ａで分配された他方の検査画像は、ビデオ分配器１２の合成部１２ｂに送られ、そこでスタータ１５からのスタート信号に基づく検査カウント値が合成され、検査画像に検査カウント値が挿入される。
【００３８】
図３の（Ｂ）は、そのように検査カウント値を挿入した検査画像の画面の一例を示す。この図３（Ｂ）における検査カウント値は、画面の左下隅に示されている数字「１２３４５」である。
【００３９】
全ての乱丁検査装置（１〜ｎ）の全ての折丁の検査画像Ａ〜Ｎが、検査カウント値を挿入した形で、ビデオ分配器１２の合成部１２ｂから１つの共通の画像記憶装置１６に送られ、そこにまとめて記憶される。
【００４０】
検査カウント値を挿入した形で全ての検査画像Ａ〜Ｎが、全ての乱丁検査装置１〜ｎに共通の表示器１７にリアルタイムおよび再生のいずれでも表示できるようになっている。
【００４１】
このように、各乱丁検査装置（１〜ｎ）専用の各表示器１４に表示される全ての検査画像Ａ、Ｂ・・・Ｎが、全ての乱丁検査装置（１〜ｎ）に共通の画像記憶装置１６用の表示器１７にまとめてリアルタイムでも再生でも表示されうるようになっている。
【００４２】
画像記憶装置１６は、製本現場に設けられており、ＬＡＮまたは通信回線１９を介してインターネットの形で、製本現場から離れた場所に配置された制御用のコンピュータ１８に接続されている。そして、このコンピュータ１８を使用して、製本現場の画像記録装置（１５）を遠隔操作できるようになっている。コンピュータ１８が遠隔操作するのは画像記録装置１５である。
【００４３】
図４は、検査画像に関する検査タイミングと画像保存タイミングの一例を示す。
【００４４】
図４において、左列の検査画像と右列の検査画像は、検査カウント値の存否を除けば同一である。
【００４５】
検査画像はビデオ分配器１２で分配され、一方はそのまま、他方は検査カウント値を挿入して表示される。
【００４６】
検査カウント値の挿入のしかたの一例を述べる。
【００４７】
ビデオ分配器１２には、製本機（丁合機）に設置した各スタータ１５から出力されるスタート信号を入力する。製本機（丁合機）が１回転する毎にそのスタート信号は、発生する。ビデオ分配器１２は内部カウンタを持ち、スタート信号が入力されるたびに内部カウンタを１つ加算する。ビデオ分配器１２は、処理部１１から受けた検査画像つまり図４の左列（Ａ）の検査画像に、内部カウンタのカウント値「１２３４４」〜「１２３４６」をスーパーインポーズ（画面合成）し、図４の右列（Ｂ）の検査画像を画像記憶装置１６（デジタル・ビデオ・レコーダ）へ出力する。
【００４８】
本発明は、前述の実施例に限定されない。たとえば、前述の実施例では、全ての乱丁検査装置に共通する表示器は１台であったが、２台以上で分けて表示することもできる。現在のところ、多くの市販の画像記録装置は１台で記録できる駒数が制限（１６チャンネル）されているため、駒数が多くなると複数の画像記録装置が必要となる。
【図面の簡単な説明】
【００４９】
【図１】本発明の１つの実施例による乱丁検査システムを示す概念図。
【図２】全ての乱丁検査装置に共通する表示器に表示する画面の一例を示す概略説明図。
【図３】検査画像に検査カウント値を挿入する前後の状態の一例を示す。
【図４】検査画像に関する検査タイミングと画像保存タイミングの一例を示す。
【符号の説明】
【００５０】
１〜ｎ  乱丁検査装置
１０  カメラ
１１  処理部
１２  ビデオ分配器
１２ａ  分配部
１２ｂ  合成部
１４  表示器
１５  スタータ
１６  画像記憶装置
１７  表示器
１８  コンピュータ
１９  通信回線
【図１】
2006103188.tif 000003
【図２】
2006103188.tif 000004
【図３】
2006103188.tif 000005
【図４】
2006103188.tif 000006